【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】  ガス中または液体中に含まれるハロゲン化合物の除去方法において、ガスまたは液体を、アルミナおよび／または水和アルミナと、組成物の全体重量に対して多くとも４５％の金属元素の全体重量含有量で周期律表の第VIII族、第ＩＢ族および／または第IIＢ族の金属から選ばれる少なくとも１つの金属元素を含む少なくとも１つの化合物（Ａ）とをベースとする組成物に接触させることを特徴とするハロゲン化合物の除去方法。
【請求項２】  組成物の全体重量に対して多くとも４５重量％の金属元素の全体重量含有量で周期律表の第VIII族、第ＩＢ族および／または第IIＢ族の金属から選ばれる少なくとも１つの金属元素を含む組成物の重量補充物が、大半においてアルミナおよび／または水和アルミナを含むことを特徴とする、請求項１記載の方法。
【請求項３】  化合物（Ａ）が、
・第VIII族の金属：鉄およびニッケルと、
・第ＩＢ族の金属：銅と、
・第IIＢ族の金属：亜鉛と
から選ばれる少なくとも１つの金属元素を含むことを特徴とする、請求項１または２記載の方法。
【請求項４】  化合物（Ａ）が、第VIII族の少なくとも１つの金属元素を含むことを特徴とする、請求項１〜３のいずれか１項記載の方法。
【請求項５】  アルミナおよび／または水和アルミナを使用し、このアルミナまたは水和アルミナが、少なくとも１つの化合物（Ａ）の導入後に温度少なくとも１００℃で熱処理されることを特徴とする、請求項１〜４のいずれか１項記載の方法。
【請求項６】  熱処理が、温度１５０〜６００℃、好ましくは２００〜５５０℃で行われることを特徴とする、請求項５記載の方法。
【請求項７】  金属元素または複数の金属元素の全体重量含有量が、組成物の全体重量に対して多くとも３５重量％、より特別には多くとも２５重量％であることを特徴とする、請求項１〜６のいずれか１項記載の方法。
【請求項８】  組成物中の金属元素または複数の金属元素の全体重量含有量が、組成物の全体重量に対して少なくとも０．００５重量％（５０重量ｐｐｍ）、好ましくは少なくとも０．５重量％であることを特徴とする、請求項１〜７のいずれか１項記載の方法。
【請求項９】  金属元素のうちの少なくとも１つが鉄である場合、鉄の全体重量含有量が、組成物の全体重量に対して少なくとも０．１重量％、好ましくは０．５重量％、より好ましくは少なくとも０．７重量％であることを特徴とする、請求項１〜８のいずれか１項記載の方法。
【請求項１０】  金属元素または複数の金属元素の全体重量含有量が、組成物の全体重量に対して０．５〜２０重量％、より特別には０．７〜１５重量％であることを特徴とする、請求項１〜９のいずれか１項記載の方法。
【請求項１１】  アルミナおよび／または水和アルミナの全体重量含有量が、組成物の全体重量に対して少なくとも３５重量％であることを特徴とする、請求項１〜１０のいずれか１項記載の方法。
【請求項１２】  ガスまたは液体を、アルミナおよび／または水和アルミナをベースとし、さらにアルカリ、アルカリ土類および希土類から選ばれる少なくとも１つの元素を含む少なくとも１つの化合物（Ｂ）を含む組成物に接触させることを特徴とする、請求項１〜１１のいずれか１項記載の方法。
【請求項１３】  化合物（Ｂ）が、ナトリウム、カリウム、ルビジウム、セシウム、マグネシウム、カルシウム、ストロンチウム、バリウム、セリウム、プラセオジムおよびランタンから選ばれる少なくとも１つの元素を含むことを特徴とする、請求項１２記載の方法。
【請求項１４】  （ｉ）まず１つまたは複数の化合物（Ｂ）を、好ましくは含浸により、次いで温度１００℃以上で行われる熱処理によりアルミナおよび／または水和アルミナに導入すること、
（ii）次いで１つまたは複数の化合物（Ａ）を、好ましくは含浸により、次いで温度１００℃以上での新規熱処理により（ｉ）で得られたアルミナおよび／または水和アルミナに導入すること
により得られる組成物を使用することを特徴とする、請求項１〜１３のいずれか１項記載の方法。
【請求項１５】  （ｉ）まず１つまたは複数の化合物（Ｂ）を、好ましくは含浸により、次いで温度２００〜１２００℃、好ましくは３００〜１０００℃で行われる熱処理によりアルミナおよび／または水和アルミナに導入すること、
（ii）次いで１つまたは複数の化合物（Ａ）を、好ましくは含浸により、次いで温度１５０〜６００℃、好ましくは２００〜５５０℃での新規熱処理により（ｉ）で得られたアルミナおよび／または水和アルミナに導入すること
により得られる組成物を使用することを特徴とする、請求項１４記載の方法。
【請求項１６】  （ｉ）まず１つまたは複数の化合物（Ａ）を、好ましくは含浸により、次いで温度１００℃以上での第一熱処理によりアルミナおよび／または水和アルミナに導入すること、
（ii）次いで１つまたは複数の化合物（Ｂ）を、好ましくは含浸により、次いで温度１００℃以上で行われる熱処理により（ｉ）で得られたアルミナおよび／または水和アルミナに導入すること
により得られる組成物を使用することを特徴とする、請求項１〜１３のいずれか１項記載の方法。
【請求項１７】  （ｉ）まず１つまたは複数の化合物（Ａ）を、好ましくは含浸により、次いで温度１５０〜６００℃、好ましくは２００〜５５０℃での第一熱処理によりアルミナおよび／または水和アルミナに導入すること、
（ii）次いで１つまたは複数の化合物（Ｂ）を、好ましくは含浸により、次いで温度２００〜１２００℃、好ましくは２５０〜１０００℃で行われる熱処理により（ｉ）で得られたアルミナおよび／または水和アルミナに導入すること
により得られる組成物を使用することを特徴とする、請求項１６記載の方法。
【請求項１８】  化合物（Ａ）および化合物（Ｂ）を、好ましくは含浸により、次いで温度１００℃以上で行われる熱処理によりアルミナおよび／または水和アルミナに同時に導入することにより得られる組成物を使用することを特徴とする、請求項１〜１３のいずれか１項記載の方法。
【請求項１９】  熱処理が、温度１５０〜１２００℃、好ましくは２００〜１０００℃で行われることを特徴とする、請求項１８記載の方法。
【請求項２０】  アルカリ、アルカリ土類および希土類元素の全体重量含有量が、組成物の全体重量に対して０．０１〜５０重量％、好ましくは０．１〜４０重量％であることを特徴とする、請求項１〜１９のいずれか１項記載の方法。
【請求項２１】  アルカリ、アルカリ土類および希土類元素の全体重量含有量が、組成物の全体重量に対して１〜４０重量％、より特別には１．５〜２５重量％であることを特徴とする、請求項２０記載の方法。
【請求項２２】  第VIII族、第ＩＢ族および第IIＢ族の金属元素の全体重量含有量が、多くとも３５％であり、またアルカリ、アルカリ土類および希土類元素の全体重量含有量が、組成物の全体重量に対して１．５〜２５重量％であることを特徴とする、請求項２０または２１記載の方法。
【請求項２３】  第VIII族、第ＩＢ族および第IIＢ族の金属元素の全体重量含有量が、多くとも２５％であり、またアルカリ、アルカリ土類および希土類元素の全体重量含有量が、組成物の全体重量に対して１〜４０重量％であることを特徴とする、請求項２０または２１記載の方法。
【請求項２４】  組成物に接触されるガスおよび／または液体が、水を除去されていることを特徴とする、請求項１〜２３のいずれか１項記載の方法。
【請求項２５】  組成物に接触されるガスおよび／または液体が、水を含むことを特徴とする、請求項１〜２４のいずれか１項記載の方法。
【請求項２６】  液体またはガスが、従来の接触リフォーミングおよび／または再生型接触リフォーミング、あるいは新規生成リフォーミングに由来することを特徴とする、請求項１〜２５のいずれか１項記載のガス中または液体中に含まれるハロゲン化合物の除去方法。
【請求項２７】  前記ハロゲン化合物が、塩素化合物であることを特徴とする、請求項１〜２６のいずれか１項記載のガス中または液体中に含まれるハロゲン化合物の除去方法。
【手続補正２】
【補正対象書類名】明細書
【補正対象項目名】００５８
【補正方法】変更
【補正の内容】
【００５８】
【発明の実施の形態】
この含有量は、組成物の全体重量に対して少なくとも０．００５重量％（５０重量ｐｐｍ）、好ましくは少なくとも０．５重量％である。金属元素は、鉄ではない。